(57)【要約】【課題】給紙位置に記録媒体が放置されたまま記録装置の筐体に残っていると、記録媒体が筐体からはみ出た状態となってしまうので、放置された記録媒体に塵や埃が付着してしまうという課題がある。【解決手段】記録媒体Ｐ１を支持する第１の面ａ２が、給紙位置に備えられた記録媒体Ｐ１の面ａ１と、同一方向Ｄ２に備えられる第１のペーパーサポート２０と、記録媒体Ｐ１を支持する第２の面ａ３を有し、記録媒体Ｐ１の搬送方向Ｄ１と直角方向の回転軸２１で、第１のペーパーサポート２０と回動自由に連結される第２のペーパーサポート２２と、第１の面ａ２と第２の面ａ３とが同一方向Ｄ２である第１の位置と、第１の面ａ２と第２の面ａ３とが交差し、記録媒体Ｐ１を覆う第２の位置を設定する固定部としての突起部、固定部材２４、凹部２５を備えるインクジェットプリンター１を提供する。【選択図】図６
2010202353.tif 000002
【特許請求の範囲】
【請求項１】
記録媒体に面接触して給紙位置に支持する面を有するペーパーサポートを備えた記録装置であって、
前記記録媒体を支持する第１の面が、前記給紙位置に備えられた前記記録媒体の面と、同一方向に備えられる第１のペーパーサポートと、
前記記録媒体を支持する第２の面を有し、前記記録媒体の搬送方向と直角方向の回転軸で、前記第１のペーパーサポートと回動自由に連結される第２のペーパーサポートと、
前記第１の面と前記第２の面とが同一方向となる前記第２のペーパーサポートの第１の位置と、前記第１の面と前記第２の面とが交差し、前記記録媒体を覆う前記第２のペーパーサポートの第２の位置とを設定する固定部と、を備えたことを特徴とする記録装置。
【請求項２】
請求項１に記載の記録装置であって、
さらに、前記記録媒体の搬送方向と直角方向の軸で、前記第２のペーパーサポートと回動自由に連結される遮断部材を備えたことを特徴とする記録装置。
【発明の詳細な説明】
【技術分野】
【０００１】
本発明は、ペーパーサポートを備えた記録装置に関する。
【背景技術】
【０００２】
インクジェットプリンターなどの記録装置には、用紙などの記録媒体を給紙位置に備えるため、記録媒体の面を支持するペーパーサポートが備えられる。記録装置の給紙位置には、複数の記録媒体が備えられる。必要な枚数だけ印刷されると、残りの記録媒体はそのまま給紙位置に放置される場合がある。しばらく放置されていた記録媒体に印刷すると、塵や埃などが記録媒体に付着してしまい、印刷された画像品質が低下してしまうことがある。特に、長時間にわたって放置されていた光沢紙、光沢フィルムなどの記録媒体に画像を印刷すると、画像品質の低下が顕著となる場合がある。例えば、特許文献１では、ペーパーサポートが記録装置の蓋として機能する方法が提案されている。
【先行技術文献】
【特許文献】
【０００３】
【特許文献１】特開２００３−２６７５６０号公報
【発明の概要】
【発明が解決しようとする課題】
【０００４】
しかしながら、給紙位置に記録媒体が放置されたまま記録装置の筐体に残っていると、記録媒体が筐体からはみ出た状態となってしまうので、ペーパーサポートが記録装置の蓋として機能しない。そのため、放置された記録媒体に塵や埃が付着してしまうという課題がある。
【課題を解決するための手段】
【０００５】
本発明は、上述の課題の少なくとも一部を解決するためになされたものであり、以下の形態または適用例として実現することが可能である。
【０００６】
［適用例１］記録媒体に面接触して給紙位置に支持する面を有するペーパーサポートを備えた記録装置であって、前記記録媒体を支持する第１の面が、前記給紙位置に備えられた前記記録媒体の面と、同一方向に備えられる第１のペーパーサポートと、前記記録媒体を支持する第２の面を有し、前記記録媒体の搬送方向と直角方向の回転軸で、前記第１のペーパーサポートと回動自由に連結される第２のペーパーサポートと、前記第１の面と前記第２の面とが同一方向となる前記第２のペーパーサポートの第１の位置と、前記第１の面と前記第２の面とが交差し、前記記録媒体を覆う前記第２のペーパーサポートの第２の位置とを設定する固定部と、を備えたことを特徴とする記録装置。
【０００７】
この構成によれば、第２のペーパーサポートが第２の位置にあるとき、第１のペーパーサポートの第１の面と第２のペーパーサポートの第２の面とが交差し、記録媒体を覆う。これにより、記録媒体をペーパーサポートによって覆うことができる。そのため、放置された記録媒体に塵や埃が付着してしまうことを抑制することが可能となる。
【０００８】
［適用例２］さらに、前記記録媒体の搬送方向と直角方向の軸で、前記第２のペーパーサポートと回動自由に連結される遮断部材を備えたことを特徴とする上記記録装置。
【０００９】
この構成によれば、搬送方向側の開口部から流入される塵や埃を遮断し、塵や埃が記録媒体に付着することを抑制することができる。
【図面の簡単な説明】
【００１０】
【図１】インクジェットプリンターの概略構成を示す断面図。
【図２】第１のペーパーサポートと第２のペーパーサポートとが連結される部分の詳細図。
【図３】第２のペーパーサポートが第１の位置にある状態でのインクジェットプリンターの外観斜視図。
【図４】第２のペーパーサポートが第１の位置にある状態でのインクジェットプリンターの外観斜視図。
【図５】第２のペーパーサポートが第２の位置にある状態でのインクジェットプリンターの断面図。
【図６】第２のペーパーサポートが第２の位置にある状態でのインクジェットプリンターの外観斜視図。
【図７】第２実施例における、第２のペーパーサポートが第２の位置にある状態でのインクジェットプリンターの外観斜視図。
【図８】第２実施例における、第２のペーパーサポートが第１の位置にある状態でのインクジェットプリンターの外観斜視図。
【発明を実施するための形態】
【００１１】
（第１実施例）
以下、本実施例について図を用いて説明する。図１は、本実施例における記録装置としてのインクジェットプリンター１の概略構成を示す断面図である。筐体２の内部には、インクカートリッジ３が備えられたキャリッジ６がガイド軸５に沿って、図面垂直方向に移動する。
【００１２】
インクを噴射するヘッド４がキャリッジ６の図面下側に備えられる。記録媒体Ｐ１は、プラテン１４上を搬送ローラー８，９および排紙ローラー１０，１１によって方向Ｄ１に搬送される。キャリッジ６の図面垂直方向の移動と、記録媒体Ｐ１の方向Ｄ１の移動により、ヘッド４からインクが噴射されて記録媒体Ｐ１に文字や画像が印刷される。
【００１３】
給紙フレーム１６に設けられた支点（不図示）で、ホッパー１５が回動し、給紙フレーム１６に設けられた圧縮バネ１７によって常に付勢される。給紙フレーム１６には、複数の記録媒体Ｐ１が積層して備えられる。図面右側にある記録媒体Ｐ１の面ａ１がホッパー１５の面に当接して備えられる。
【００１４】
図面左側の記録媒体Ｐ１に当接する給紙ローラー７が、図中、時計方向に回転すると、１枚の記録媒体Ｐ１が図面左方向に搬送されて給紙される。給紙された１枚の記録媒体Ｐ１は、前述したように、プラテン１４上を搬送され、排紙ローラー１０，１１により開口部１２から排紙され、排紙トレイ１３に置かれる。
【００１５】
給紙フレーム１６には、第１のペーパーサポート２０の面ａ２が、複数の記録媒体Ｐ１の面ａ１と同一方向にして第１のペーパーサポート２０が備えられる。第１のペーパーサポート２０は、複数の記録媒体Ｐ１が、図１の給紙ローラー７が当接する給紙位置に備えられるように支持する。
【００１６】
第１のペーパーサポート２０には、第２のペーパーサポート２２が、回転方向Ｒ１に回転軸２１で回動する支点（不図示）が設けられる。第２のペーパーサポート２２は、第１のペーパーサポート２０におけるホッパー１５と反対側に連結されて備えられる。図２は、第１のペーパーサポート２０と第２のペーパーサポート２２とが連結される部分の詳細図である。第１のペーパーサポート２０には、図面垂直方向に突き出る突起部２３が設けられる。回転軸２１で回動する第１のペーパーサポート２０と第２のペーパーサポート２２とは、回転動作が突起部２３によって規制され、面ａ２と面ａ３とは同一方向となる第１の位置で固定される。
【００１７】
図３は、第２のペーパーサポート２２が第１の位置にある状態でのインクジェットプリンター１の外観斜視図である。図３の第２のペーパーサポート２２は、第１のペーパーサポート２０の面ａ２と第２のペーパーサポート２２の面ａ３とが同じ方向Ｄ２となる第１の位置にある。第２のペーパーサポート２２には、一対の固定部材２４が備えられる。
【００１８】
固定部材２４は、第２のペーパーサポート２２の図面左右両端部に方向Ｄ２の回転軸で回動するための支点（不図示）が設けられる。第２のペーパーサポート２２には、固定部材２４を収容する凹部ｂ１が形成されており、図１、図３に示すように、固定部材２４は、固定部材２４の面ａ４が第２のペーパーサポート２２の面ａ３と同一面になるように凹部ｂ１に収容される。
【００１９】
記録媒体Ｐ１のサイズは、幅と高さがＡ４サイズ（幅２１０ｍｍ、高さ２９７ｍｍ）より小さいＡ６サイズ（幅１０５ｍｍ、高さ１４８ｍｍ）、Ｌ判サイズ（幅８９ｍｍ、高さ１２７ｍｍ）、はがきサイズ（幅１００ｍｍ、高さ１４８ｍｍ）などのサイズである。
【００２０】
図３の本実施例におけるインクジェットプリンター１の筐体２における図面上下方向の高さＬ１は、約１００ｍｍである。従って、高さ方向Ｄ２の記録媒体Ｐ１を給紙位置に備えたとき、記録媒体Ｐ１の高さは、筐体２の高さＬ１を超えてしまうので、図３に示すように、記録媒体Ｐ１の図面上部が筐体２の内部に収容されない。
【００２１】
第１のペーパーサポート２０の方向Ｄ２における長さＬ２は約９０ｍｍで、第２のペーパーサポート２２の方向Ｄ２における長さＬ３は約７０ｍｍである。
【００２２】
図４は、第２のペーパーサポート２２が第１の位置にある状態でのインクジェットプリンター１の外観斜視図である。インクジェットプリンター１には、Ａ４サイズの記録媒体Ｐ２が備えられる。記録媒体Ｐ２は、第１のペーパーサポート２０の面ａ２、第２のペーパーサポート２２の面ａ３、一対の固定部材２４の面ａ４に支持されることにより給紙位置に備えられる。記録媒体Ｐ２は、用紙のサイズの幅と高さがＡ４サイズの幅や高さ以上でもよい。
【００２３】
次に、第２のペーパーサポート２２が第２の位置にあるときのインクジェットプリンター１について説明する。図５は、第２のペーパーサポート２２が第２の位置にある状態でのインクジェットプリンター１の断面図である。
【００２４】
図５の第２のペーパーサポート２２は、図１、図３の第１の位置から回転軸２１を軸として図面反時計方向に回転し、第１のペーパーサポート２０の面ａ２の方向Ｄ２と交差する方向Ｄ１に備えられた第２の位置にある。
【００２５】
図６は、第２のペーパーサポート２２が第２の位置にある状態でのインクジェットプリンター１の外観斜視図である。固定部材２４は、支点を軸に回転し、筐体２に設けられた凹部２５に図面下部の先端が固定される。これにより、固定部材２４は、固定部材２４の面ａ４が第２のペーパーサポート２２の面ａ３と直角方向になる位置で、固定される。記録媒体Ｐ１は、第１のペーパーサポート２０と第２のペーパーサポート２２に覆われた状態になる。
【００２６】
本実施例における固定部は、図２の第１のペーパーサポート２０に形成された突起部２３、第２のペーパーサポート２２に備えられた固定部材２４、図６の筐体２に形成された凹部２５から構成される。回転軸２１を軸に回動する第２のペーパーサポート２２は、突起部２３によって第１の位置に固定され、固定部材２４と凹部２５とによって第２の位置に固定される。
【００２７】
以上、本実施例のインクジェットプリンター１は、記録媒体Ｐ１を支持する第１の面ａ２が、給紙位置に備えられた記録媒体Ｐ１の面ａ１と、同一方向Ｄ２に備えられる第１のペーパーサポート２０と、記録媒体Ｐ１を支持する第２の面ａ３を有し、記録媒体Ｐ１の搬送方向Ｄ１と直角方向の回転軸２１で、第１のペーパーサポート２０と回動自由に連結される第２のペーパーサポート２２と、第１の面ａ２と第２の面ａ３とが同一方向Ｄ２となる第２のペーパーサポート２２の第１の位置と、第１の面ａ２と第２の面ａ３とが交差し、記録媒体Ｐ１を覆う第２のペーパーサポート２２の第２の位置とを設定する固定部としての突起部２３、固定部材２４、凹部２５を備える。
【００２８】
本実施例では、筐体２に凹部２５を設けたが、第２のペーパーサポート２２が当接する筐体２の部分に粘着性を有するテープなどを備え、第２のペーパーサポート２２がテープに当接することにより、第２のペーパーサポート２２における第２の位置が設定されてもよい。また、固定部材２４を設けずに、図２の第１のペーパーサポート２０にさらに突起部を形成することにより、第２のペーパーサポート２２における第２の位置が設定されてもよい。
【００２９】
この構成によれば、第２のペーパーサポート２２が第２の位置にあるとき、第１のペーパーサポート２０の第１の面ａ２と第２のペーパーサポート２２の第２の面ａ３とが交差し、記録媒体Ｐ１を覆う。これにより、記録媒体Ｐ１を第１のペーパーサポート２０と第２のペーパーサポート２２によって覆うことができる。そのため、放置された記録媒体Ｐ１に塵や埃が付着してしまうことを抑制することが可能となる。
【００３０】
また、第２のペーパーサポート２２が第２の位置にあるとき、固定部材２４の面ａ４によって、塵や埃が搬送方向Ｄ１と直角方向から流入することを抑制できる。
【００３１】
（第２実施例）
第２実施例では、第２のペーパーサポート２２が第２の位置にあるとき、筐体２と第２のペーパーサポート２２と固定部材２４とで囲まれた開口部を遮断するための部材を設けたインクジェットプリンター１ａについて説明する。
【００３２】
図７は、第２実施例における、第２のペーパーサポート２２が第２の位置にある状態でのインクジェットプリンター１ａの外観斜視図である。図７の遮断部材２６は、筐体２と第２のペーパーサポート２２と固定部材２４とで囲まれ、搬送方向Ｄ１に開放される開口部を遮断する。遮断部材２６の面ａ５は、第２のペーパーサポート２２の面ａ３と直角方向の位置にある。
【００３３】
インクジェットプリンター１ａは、遮断部材２６の他は、第１実施例のインクジェットプリンター１の構成と同じである。
【００３４】
遮断部材２６は、固定部材２４より薄い板状部材から構成される。図８は、第２実施例における、第２のペーパーサポート２２が第１の位置にある状態でのインクジェットプリンター１ａの外観斜視図である。遮断部材２６は、第２のペーパーサポート２２の図面上部に設けられた支点（不図示）で、回動し、固定部材２４の面ａ４と遮断部材２６の面ａ５は、第２のペーパーサポート２２の面ａ３と同じ方向Ｄ２の位置にある。
【００３５】
遮断部材２６は、布や樹脂などで形成された幕状の薄い部材で構成されてもよい。
【００３６】
以上、本実施例のインクジェットプリンター１ａは、記録媒体Ｐ１の搬送方向Ｄ１と直角方向の軸で、第２のペーパーサポート２２と回動自由に連結される遮断部材２６を備える。
【００３７】
この構成によれば、搬送方向側の開口部から流入される塵や埃を遮断し、塵や埃が記録媒体に付着することを抑制することができる。
【符号の説明】
【００３８】
１，１ａ…インクジェットプリンター、２０…第１のペーパーサポート、２１…回転軸、２２…第２のペーパーサポート、２３…突起部、２４…固定部材、２５…凹部、２６…遮断部材、ａ１…記録媒体の面、ａ２…第１の面、ａ３…第２の面、Ｄ１…搬送方向、Ｄ２…方向、Ｐ１…記録媒体。
【図１】
2010202353.tif 000003
【図２】
2010202353.tif 000004
【図３】
2010202353.tif 000005
【図４】
2010202353.tif 000006
【図５】
2010202353.tif 000007
【図６】
2010202353.tif 000008
【図７】
2010202353.tif 000009
【図８】
2010202353.tif 000010